(57)【要約】【課題】高湿空気の吹出口を覆うダクトカバーに付着した結露水が滞留することを防止することのできる流体搬送装置を提供する。【解決手段】流体搬送装置は、流体から高湿空気を生成する高湿空気生成部と、高湿空気を吹出口１１から外部へ搬送する経路を構成する冷却風撹拌ダクト１４と、吹出口１１を覆うように設けられたダクトカバー１５と、を備える。ダクトカバー１５は、複数の板状の横枠体２５ｂ及び縦枠体２５ａによって格子状に形成され、付着した結露水がこれらの枠体を伝って下方に流れるように、横枠体２５ｂの下面と縦枠体２５ａの風下側端部との交差部に凹湾曲形状のＲ形状２７を形成している。また、ダクトカバー１５は、複数の横枠体２５ｂのうち、下部のものほど風下側に突出するように構成されている。なお、ダクトカバー１５は、親水性の表面層を形成するための処理が施されていることが好ましい。【選択図】図５
2016044871.tif 000002
【特許請求の範囲】
【請求項１】
流体を貯蔵する流体貯蔵部と、
前記流体貯蔵部に貯蔵された流体から高湿空気を生成する高湿空気生成部と、
前記高湿空気を吹出口から外部へ搬送する経路を構成するダクトと、
前記吹出口を覆うように設けられたダクトカバーと、を備え、
前記ダクトカバーは、付着した結露水が下方に流れるように構成されて成る流体搬送装置。
【請求項２】
前記ダクトカバーは、複数の板状の横枠体及び縦枠体によって格子状に形成され、付着した結露水が前記横枠体及び前記縦枠体を伝って下方に流れるように構成されて成る請求項１に記載の流体搬送装置。
【請求項３】
前記ダクトカバーは、前記横枠体の下面と前記縦枠体の風下側端部との交差部を凹湾曲形状に形成して成る請求項２に記載の流体搬送装置。
【請求項４】
前記ダクトカバーは、複数の前記横枠体のうち、下部のものほど風下側に突出するように構成されて成る請求項２又は請求項３に記載の流体搬送装置。
【請求項５】
前記ダクトカバーは、親水性の表面層を形成するための処理が施されている請求項１から請求項４の何れか１項に記載の流体搬送装置。
【請求項６】
前記ダクトカバーの下部には、前記ダクトカバーを伝って下方へ移動した結露水を回収する結露水回収部を備える請求項１から請求項５の何れか１項に記載の流体搬送装置。
【請求項７】
前記吹出口の下縁部から上方に突出し、前記ダクトカバーの下部を外側から覆う堰部を更に備える請求項１から請求項６の何れか１項に記載の流体搬送装置。
【請求項８】
前記ダクトカバーは、前記横枠体の上面が風下側に向かって下方に傾斜して成る請求項２から請求項４の何れか１項に記載の流体搬送装置。
【請求項９】
前記ダクトカバーは、前記横枠体の風下側の縁部を凸湾曲状に形成して成る請求項２から請求項４の何れか１項に記載の流体搬送装置。
【請求項１０】
前記高湿空気生成部は、
前記流体貯蔵部から搬送された流体を貯める貯水部と、
前記貯水部に貯められた流体を加熱して蒸気を生成する加熱部と、
を備える請求項１から請求項９の何れか１項に記載の流体搬送装置。
【請求項１１】
風を発生させる送風部を備え、
前記ダクトは、前記送風部が発生させた風の一部が冷却風として流入する冷却風入口を有し、前記高湿空気生成部において生成された高湿空気が前記冷却風入口から流入した冷却風に混合されて前記吹出口へ搬送されるように構成されて成る請求項１から請求項１０の何れか１項に記載の流体搬送装置。
【請求項１２】
前記ダクトとは別個に設けられ、前記送風部が発生させた風の一部をアシスト風として搬送して外部へ放出する送風ダクトと、
前記吹出口の上方に配置され、前記送風ダクトから外部に風を放出するアシスト風吹出口と、を備え、
前記送風ダクトは、前記アシスト風吹出口から放出されたアシスト風が前記吹出口から放出された高湿空気に上方から混合されるように構成されて成る請求項１１に記載の流体搬送装置。
【発明の詳細な説明】
【技術分野】
【０００１】
本発明は、流体搬送装置に関するものである。
【背景技術】
【０００２】
例えば特許文献１には、スチーム式美容器に関する技術が開示されている。このスチーム式美容器では、給水タンク内の水を加熱してスチームを生成し、生成されたスチームをノズルのスチーム噴出口から噴出させることとしている。
【先行技術文献】
【特許文献】
【０００３】
【特許文献１】特開２００２−２５３３４０号公報
【発明の概要】
【発明が解決しようとする課題】
【０００４】
上記従来の装置のように高温のスチームが吹き出される装置では、使用者がノズル等の高温の部位に直接触れることを防止するための構造が求められる。このような構造としては、例えば、高湿空気であるスチームが通過可能であり且つ使用者の指は挿入不可能なダクトカバーをスチームの吹出口に設けることが考えられる。
【０００５】
しかしながら、上述したダクトカバーを備える構造では、吹き出される高湿空気がダクトカバー部で結露する。結露水がダクトカバーに付着して滞留すると、高湿空気の放出が阻害されるおそれがある。また、ダクトカバーに滞留していた結露水が高湿空気とともに外部に吹き出されると、床が濡れる等によって使用者に不快感を与えてしまうという問題もある。
【０００６】
この発明は、上述の課題を解決するためになされたもので、高湿空気の吹出口を覆うダクトカバーに付着した結露水が滞留することを防止することのできる流体搬送装置を提供することを目的とする。
【課題を解決するための手段】
【０００７】
上記の目的を達成するため、本発明の流体搬送装置は、流体を貯蔵する流体貯蔵部と、流体貯蔵部に貯蔵された流体から高湿空気を生成する高湿空気生成部と、高湿空気を吹出口から外部へ搬送する経路を構成するダクトと、吹出口を覆うように設けられたダクトカバーと、を備え、ダクトカバーは、付着した結露水が下方に流れるように構成されて成るものである。
【発明の効果】
【０００８】
この発明の流体搬送装置によれば、高湿空気の吹出口を覆うダクトカバーに付着した結露水は、速やかに下方に流れる。これにより、ダクトカバーに付着した結露水が滞留することを防止することが可能となる。
【図面の簡単な説明】
【０００９】
【図１】本発明の実施の形態１における流体搬送装置の側面図である。
【図２】本発明の実施の形態１における流体搬送装置の縦断面図である。
【図３】本発明の実施の形態１における流体搬送装置の給水時の本体斜視図である。
【図４】本実施の形態における流体搬送装置の動作を示すフローチャートである。
【図５】本発明の実施の形態１における流体搬送装置のダクトカバー周辺の詳細を示す詳細拡大図である。
【図６】本発明の実施の形態１における流体搬送装置のダクトカバー周辺の縦断面を示す拡大断面図である。
【発明を実施するための形態】
【００１０】
以下、図面を参照して本発明の実施の形態を詳細に説明する。なお、各図では、同一又は相当する部分に同一の符号を付している。また、重複する説明は、適宜簡略化あるいは省略する。
【００１１】
実施の形態１．
図１は、本発明の実施の形態１における流体搬送装置の側面図である。また、図２は、本発明の実施の形態１における流体搬送装置の縦断面図である。以下、図１及び図２を参照して、本発明の実施の形態１における流体搬送装置の構成を説明する。なお、本明細書では、特に断りがない限り、図２における高湿空気の吹出方向を前方及び設置面方向を下方として、前後及び上下を指定する。
【００１２】
図１に示すように、流体搬送装置は、本体の外郭をなす本体ケース１を備えている。図２に示すように、本体ケース１の上面の後部には、ふた２が着脱自在に取り付けられている。また、本体ケース１の後面の下部には、本体ケース１の外部から内部に空気を取り込むための開口部１ａが形成されている。流体搬送装置の本体（以下、単に「本体」と称する）の内部は、この開口部１ａを介して外部と通じている。
【００１３】
また、本体ケース１の前面の下部には、操作部３が設けられている。操作部３は、流体搬送装置の電源ＳＷ４等を備えている。また、操作部３は、本体の位置の温度及び湿度を検出する温湿度センサ（図示せず）を備えている。
【００１４】
図２に示すように、本体ケース１の内部の後側には、給水部５が設けられている。給水部５は、その上部が下向きに凹んだように形成されている。また、給水部５には、水位検知部（図示せず）が設けられている。水位検知部は、後述する給水タンク６内の水位を検知する。
【００１５】
また、本体ケース１の内部の後側には、給水部５の上方に、給水タンク６が着脱自在に取り付けられている。給水タンク６は流体である水を貯蔵する流体貯蔵部として機能するものである。給水タンク６の下部には、給水弁６ａが設けられている。給水弁６ａは、給水タンク６が本体ケース１に取り付けられる際に、給水部５の上部の凹みに嵌るように形成されている。
【００１６】
また、本体ケース１の内部の前側下方には、給水タンク６内の水を本体内に貯めるための貯水部７が設けられている。さらに、本体ケース１の内部には、給水部５と貯水部７とを繋ぐ給水路１０が設けられている。給水路１０の一端は、給水部５の底面に接続されている。給水路１０の他端は、貯水部７の底面に接続されている。このため、給水タンク６は、給水弁６ａ、給水部５及び給水路１０を介して貯水部７と通じている。
【００１７】
貯水部７の外周面の下部には、加熱部としてのヒータ８が取り付けられている。ヒータ８は、貯水部７内の水を加熱して高湿空気である蒸気を生成する。つまり、貯水部７とヒータ８とにより高湿空気生成部を構成する。
【００１８】
貯水部７の上方には、貯水部７から通じる貯水部カバー１２が着脱可能に設けられている。貯水部カバー１２は、貯水部７の上面から上方へ延びるように形成され、その上端には開口部１３が形成されている。
【００１９】
貯水部カバー１２の更に上方には、冷却風撹拌ダクト１４が着脱可能に設けられている。冷却風撹拌ダクト１４は、その内部に貯水部カバー１２の開口部１３が位置するように設けられている。つまり、貯水部カバー１２は、冷却風撹拌ダクト１４の下面から内部に連通するように設けられている。
【００２０】
冷却風撹拌ダクト１４の後面側の下端には冷却風入口１４ａが設けられている。また、冷却風撹拌ダクト１４の前面側の上端には開口部２６が設けられている。開口部２６は、本体ケース１に設けられた吹出口１１に向かって開口している。なお、開口部２６の開口面は、冷却風入口１４ａの開口面よりも大きく形成されている。吹出口１１には、使用者の指又は手が進入するのを防ぐためのダクトカバー１５が設けられている。ダクトカバー１５は、例えば格子、メッシュ、又はスリット等の目の細かい形状に構成され、吹出口１１全体を覆うように構成されている。なお、ダクトカバー１５の詳細な構成については説明を後述する。冷却風撹拌ダクト１４は、吹出口１１を介して本体の外部と通じる経路を構成している。このため、貯水部７は、貯水部カバー１２、開口部１３、冷却風撹拌ダクト１４、吹出口１１及びダクトカバー１５を介して本体の外部と通じている。
【００２１】
また、本体ケース１の内部の下側且つ貯水部７の後方となる位置には、送風部としての送風ファン１６が設けられている。送風ファン１６は、駆動することで後方から空気を吸い込み、上方に向かって空気を吹き出す。
【００２２】
送風ファン１６の上方には、送風ファン１６から吹き出された空気が流入する送風ダクト１７が設けられている。送風ダクト１７は、冷却風撹拌ダクト１４とは別個に設けられたダクトであり、冷却風撹拌ダクト１４の上方において前方に向かって湾曲している。本体ケース１の上面には別体に構成されたアシスト風路スライド部９が設けられている。アシスト風路スライド部９は、本体ケース１の上面に設けられたレール（図示せず）を介して本体ケース１に前後方向にスライド可能に取り付けられている。アシスト風路スライド部９の前端には、アシスト風吹出口１８が設けられている。つまり、アシスト風吹出口１８は、吹出口１１の上方に位置している。
【００２３】
送風ダクト１７の先端は、アシスト風路スライド部９のアシスト風吹出口１８に連通している。つまり、送風ダクト１７は、アシスト風吹出口１８を介して本体外部に通じている。また、図２に示すように、アシスト風吹出口１８は、アシスト風路スライド部９を本体前方にスライドさせることにより本体前方に移動する。アシスト風吹出口１８の周縁の上部には、ルーバー１９が設けられている。
【００２４】
また、送風ダクト１７は、本体内で分岐して冷却風入口１４ａに接続されている。つまり、送風ダクト１７は、冷却風入口１４ａを介して冷却風撹拌ダクト１４とも通じている。但し、送風ダクト１７の分岐点から冷却風入口１４ａへ至る風路はアシスト風路スライド部９へ至る風路よりもその風路面積が小さくなるように形成されている。また、吹出口１１におけるダクトカバー１５の下部には結露水回収部２０が設けられている。
【００２５】
また、本体ケース１の内部には、流体搬送装置の運転を制御するための制御部２２が設けられている。制御部２２は、時間を計測するタイマー機能を備えている。また、制御部２２には、ヒータ８の入力端、および送風ファン１６の入力端がそれぞれ接続されている。制御部２２は、これらの入力端から各部を制御するための信号を送信する。さらに、制御部２２には、操作部３の出力端、電源ＳＷ４の出力端、給水部５の水位検知部の出力端及び温湿度センサの出力端等がそれぞれ接続されている。制御部２２は、これらの出力端から信号を受信する。
【００２６】
次に、以上のように構成された流体搬送装置の基本動作について説明する。流体搬送装置の運転が開始される前に、給水タンク６には外部から水が供給される。図３は、本発明の実施の形態１における流体搬送装置の給水時の本体斜視図である。この図に示すように、給水時には先ずアシスト風路スライド部９を前方にスライドさせてふた２を取り外す。次に、給水タンク６を取り出し、給水タンク６に水を入れた後、給水部５に戻す。この際、給水タンク６は、給水弁６ａが給水部５の上部の凹みに嵌るように本体ケース１の内部に取り付けられる。給水タンク６内の水は、給水弁６ａ、給水部５及び給水路１０を経て貯水部７に流れ込む。この際に流れ込む水量は、給水弁６ａによって調節される。
【００２７】
図４は、本実施の形態における流体搬送装置の動作を示すフローチャートである。以下、図４を参照して流体搬送装置の基本動作について説明する。なお、流体搬送装置は、運転開始前に使用者によって適切な位置に設置されるものとする。例えば、睡眠時に顔等を保湿するために使用する場合には、流体搬送装置はベッドサイド、つまり布団の横又は使用者から見て頭側の位置等に設置される。
【００２８】
操作部３の電源ＳＷ４が押されると、流体搬送装置の電源がＯＮ状態となり（ステップＳ１０１）、流体搬送装置の運転が開始される。
【００２９】
ステップＳ１０１に続いて、制御部２２は、ヒータ８をＯＮ状態にする（ステップＳ１０２）。これにより、ヒータ８が発熱し、貯水部７内の水を加熱する。貯水部７内の水は、加熱により水温が上昇し殺菌される。その後、貯水部７内の水は高湿空気である蒸気となり、貯水部カバー１２の内部に進入する。貯水部カバー１２の内部に充満した蒸気は、その後開口部１３を通過して冷却風撹拌ダクト１４の内部に流入する。
【００３０】
次に、制御部２２は、送風ファン１６をＯＮ状態にする（ステップＳ１０３）。これにより、送風ファン１６は、本体ケース１の後面の開口部１ａから外部の空気を取り入れ、送風ダクト１７の内部に空気を送る。送風ダクト１７の分岐点から冷却風入口１４ａ側に進まずに送風ダクト１７を通過した空気は、アシスト風吹出口１８から外部に放出される。以下の説明では、アシスト風吹出口１８から放出された空気を「アシスト風」と称することとする。アシスト風の風向は、ルーバー１９によって調整される。ここでは、アシスト風は、水平方向よりも若干下方に向かって送風される。
【００３１】
一方、送風ダクト１７の分岐点から冷却風入口１４ａ側に進んだ空気は、冷却風撹拌ダクト１４に流入する。以下の説明では、冷却風入口１４ａから冷却風撹拌ダクト１４に流入した空気を「冷却風」と称することとする。冷却風はダクト内で蒸気と混合される。冷却風撹拌ダクト１４に流入した冷却風は常温であるため、蒸気の温度は低下する。蒸気は、温度が低下する過程においてその一部が液化して微細な液胞となる。以下の説明では、この液化した蒸気を「スチーム」と称することとする。空気と混合された蒸気はスチームを含む高湿空気となってダクトカバー１５の開口部２６を通過する。開口部２６を通過した高湿空気は、吹出口１１から外部へ放出される。吹出口１１から外部へ放出された高湿空気は、アシスト風吹出口１８から放出されたアシスト風により、上昇を抑制されつつ前方に搬送される。
【００３２】
ステップＳ１０３に続いてステップＳ１０４に進む。ステップＳ１０４では、温湿度センサ（図示せず）によって検出される本体位置の温度及び湿度に応じて運転レベルが決定される。制御部２２は、決定された運転レベルに基づいてヒータ８の運転レベルを調整する。例えば、検出された本体位置の温度及び湿度が１５℃及び２０％であれば、制御部２２はヒータ８の運転レベルを強運転とすることで、蒸気の生成量を増大させる。また、検出された温度及び湿度が１５℃及び４０％であれば、制御部２２はヒータ８の運転レベルを弱運転とすることで、蒸気の生成量を抑制させる。このようにして、制御部２２は、使用者の顔周りの湿度を睡眠時に適した５０〜６０％程度に維持する。
【００３３】
ステップＳ１０４に続いて、ステップＳ１０５に進む。ステップＳ１０５では、制御部２２は、電源ＳＷ４がＯＦＦ状態であるか否かの判定、流体搬送装置の運転開始から予め設定された時間が経過したか否かの判定、及び水位検知部の検知結果に基づいて給水タンク６内の水量が０であるか否かの判定を行う。これらの判定において、何れの条件も成立しない場合は、再びステップＳ１０４に戻る。
【００３４】
ステップＳ１０５の判定において、何れかの条件が成立した場合、制御部２２は、流体搬送装置の電源をＯＦＦ状態にする（ステップＳ１０６）。
【００３５】
以上説明したとおり、本実施の形態の流体搬送装置によれば、高湿空気が指向性を持って搬送されるため、使用者の顔周りの湿度を例えば睡眠時に適した湿度に効率的に加湿することができる。
【００３６】
次に、本実施の形態の流体搬送装置の特徴的構成について説明する。流体搬送装置の運転がしばらく続くと、冷却風撹拌ダクト１４の内壁及びダクトカバー１５に結露水が発生する。冷却風撹拌ダクト１４の内壁に付着した結露水のうち、貯水部カバー１２の上方の領域に付着した結露水は、壁面を伝って貯水部７へもどる。一方、冷却風撹拌ダクト１４の内壁に付着した結露水のうち、吹出口１１の周辺に付着した結露水は、結露水回収部２０に回収される。
【００３７】
ここで、ダクトカバー１５に付着した結露水がその場に滞留すると、高湿空気の放出が阻害されるおそれがある。また、ダクトカバー１５に滞留していた結露水が高湿空気とともに外部に吹き出されると、床が濡れる等によって使用者に不快感を与えてしまうという問題もある。このため、ダクトカバー１５に付着した結露水についても、速やかに結露水回収部２０に回収される構造が好ましい。
【００３８】
そこで、本実施の形態の流体搬送装置は、ダクトカバー１５に付着した結露水が速やかに下方へ誘導されて結露水回収部２０に回収されるように、以下に示す構造的特徴を備えている。図５は、本発明の実施の形態１における流体搬送装置のダクトカバー周辺の詳細を示す詳細拡大図である。また、図６は、本発明の実施の形態１における流体搬送装置のダクトカバー周辺の縦断面を示す拡大断面図である。
【００３９】
これらの図に示すように、本実施の形態の流体搬送装置のダクトカバー１５は、複数の縦枠体２５ａ及び複数の横枠体２５ｂからなる枠体２５を備えている。各横枠体２５ｂは、本体ケース１の外郭に沿って円弧状に湾曲された板状の部材によって構成され、指が入らない程度の隙間を開けて複数の横枠体２５ｂが上下方向に並んで配置されている。また、各縦枠体２５ａは、横枠体２５ｂに直交するように立設された板状の部材であって、複数の縦枠体２５ａが左右方向に並んで配置されている。このような枠体２５の構成によれば、吹出口１１が枠体２５によって格子状に分割されるので、高湿空気を通過させつつ人の指が冷却風撹拌ダクト１４の内部の高温部に触れることを防ぐことができる。
【００４０】
また、図５に示すように、横枠体２５ｂの下面と縦枠体２５ａの前側端部（吹出口１１から吹き出す風の風下側端部）との交差部（角隅）には、それぞれ凹湾曲形状に形成されたＲ形状２７が設けられている。上述したとおり、流体搬送装置の運転が行われると、ダクトカバー１５に結露水Ｗが付着する。この際、横枠体２５ｂの下面側に付着した結露水Ｗは、Ｒ形状２７によって各枠体２５の交差部に滞留することなく下方へ誘導されて横枠体２５ｂの上面に到達する。横枠体２５ｂの上面に付着した結露水Ｗは、風上側からの送風の力によって横枠体２５ｂの上面に沿って前方へ誘導される。横枠体２５ｂの上面の縁部まで誘導された結露水Ｗは、重力により当該端部を回りこんで横枠体２５ｂの下面側へ誘導される。このように、枠体２５に付着した結露水Ｗは順に下方へと誘導される。最下部まで誘導された結露水Ｗは結露水回収部２０に回収されて自然蒸発される。これにより、結露水Ｗが枠体２５に付着して滞留することを有効に抑制することが可能となる。
【００４１】
また、本実施の形態の流体搬送装置では、複数の横枠体２５ｂのうち、下部に配置されているものほどその縁部が前側（風下側）に突出するように構成されている。このような構成によれば、横枠体２５ｂの上面の縁部まで誘導された結露水Ｗが大きな塊となって下方に落下した場合であっても下方の横枠体２５ｂによってそれを受け止めることができる。これにより、結露水Ｗが本体ケース１の外部へ落下してしまうことを防止することができる。
【００４２】
また、本実施の形態の流体搬送装置では、ダクトカバー１５を構成する枠体２５に親水性の表面層を形成するための処理が施されている。このような構成によれば、枠体２５に付着した結露水Ｗが球状になることなく下方へ誘導されるので、結露水Ｗが枠体２５上で滞留することを有効に防止することができる。
なお、親水性の表面層を枠体２５に形成する手段としては、例えば、枠体２５を形成する樹脂材料に親水効果を発現させる添加剤（グリセリン脂肪酸エステル等）を加えて成形する、あるいは、枠体２５の樹脂材料に二酸化ケイ素（SiO2）化合物等を含む親水処理剤を塗布することで可能となる。
【００４３】
また、本実施の形態の流体搬送装置では、図６に示すように、吹出口１１の下縁部から上方に向かって立設され、ダクトカバー１５の枠体２５の下部を覆う堰部２８を備えている。なお、堰部２８は、流体搬送装置を平面視した際に枠体２５の外縁よりも外側となる位置に立設されている。このような構成によれば、横枠体２５ｂの上面の縁部まで誘導された結露水Ｗが大きな塊となって下方に落下した場合に本体ケース１の外側に落下して使用者に不快感を与えることを防ぐことができる。
【００４４】
また、本実施の形態の流体搬送装置では、横枠体２５ｂが風上側に向かって下方に僅かに傾斜した形状を有している。このような構成によれば、横枠体２５ｂの上面に付着した結露水Ｗは、風上側からの送風の力だけでなく、重力によって横枠体２５ｂの上面の傾斜に沿って前方へ誘導される。これにより、結露水Ｗが横枠体２５ｂの上面に滞留することを有効に抑制することが可能となる。
【００４５】
また、本実施の形態の流体搬送装置では、横枠体２５ｂの上面の風下側縁部に凸湾曲状のＲ形状２９が設けられている。このような構成によれば、横枠体２５ｂの上面の縁部まで誘導された結露水Ｗが当該端部を回り込まずに滞留することを有効に防止することができる。
【００４６】
また、本実施の形態の流体搬送装置では、貯水部カバー１２、冷却風撹拌ダクト１４、ダクトカバー１５、及び給水タンク６等を本体ケース１から取り外し可能に構成されている。このため、使用者は流体搬送装置の使用後に本体ケース１からこれらの部品を取り外して洗浄することができる。また、本体ケース１から上記部品を取り外すと、給水部５及び貯水部７が露出する。このため、使用者は、給水部５及び貯水部７についても洗浄することが可能となる。
【００４７】
ところで、上述した実施の形態１の流体搬送装置では、ダクトカバー１５に付着した結露水が滞留することを抑制するための種々の構造について説明したが、これらの構造の全てを備える必要はない。すなわち、上述した構造のうち、少なくとも何れかを備えていれば、高湿空気の吹出口１１を覆うダクトカバー１５に付着した結露水が滞留することを抑制することができる。
また、上述の実施の形態では、吹出口１１が枠体２５によって格子状に分割されている構成を記載しているが、この構成に限定する必要はなく、例えば、斜め形状やリング状など、結露水を下方に誘導することが可能な構成であれば良い。
【符号の説明】
【００４８】
１  本体ケース、１ａ  開口部、３  操作部、４  電源ＳＷ、５  給水部、６  給水タンク、６ａ  給水弁、７  貯水部、８  ヒータ、９  アシスト風路スライド部、１０  給水路、１１  吹出口、１２  貯水部カバー、１３  開口部、１４  冷却風撹拌ダクト、１４ａ  冷却風入口、１５  ダクトカバー、１６  送風ファン、１７  送風ダクト、１８  アシスト風吹出口、１９  ルーバー、２０  結露水回収部、２２  制御部、２５  枠体、２５ａ  縦枠体、２５ｂ  横枠体、２６  開口部、２７  Ｒ形状、２８  堰部、２９  Ｒ形状
【図１】
2016044871.tif 000003
【図２】
2016044871.tif 000004
【図３】
2016044871.tif 000005
【図４】
2016044871.tif 000006
【図５】
2016044871.tif 000007
【図６】
2016044871.tif 000008